(57)【要約】【課題】競争馬に対する保険を適用することにより競争馬の生産者、馬主、保険会社にとって、競争馬の売買を安心しておこなうことができる競争馬仲介管理装置および競争馬仲介管理方法、競争馬仲介管理プログラムを提供する。【解決手段】複数の調教師を登録する調教師登録部２００と、調教師の実績に基づくランク付けをおこなう調教師ランク設定部２５０と、生産者が売却したい競争馬を希望価格とともに登録する競争馬登録部２１０と、登録された競争馬を複数の調教師により査定するとともに、その競争馬の売買価格を推薦価格として設定する競争馬価格評価部２２０と、調教師が設定した推薦価格が売買価格として決定した場合に、その売買価格に適用される保険料率を調教師ランク設定部２５０により設定した調教師のランクに応じて算出する保険料率設定部２４０とを備える。【選択図】      図１
2004295434.tif 000002
【特許請求の範囲】
【請求項１】
インターネットを介しておこなう競争馬の売買を仲介する競争馬仲介管理装置であって、
競争馬仲介管理装置は、
予め複数の調教師を登録する調教師登録手段と、
前記調教師の実績に基づくランク付けをおこなう調教師ランク設定手段と、
生産者が売却したい競争馬を希望価格とともに登録する競争馬登録手段と、
前記競争馬登録手段により登録された競争馬を複数の調教師により査定するとともに、その競争馬の売買価格を推薦価格として設定する競争馬価格評価手段と、
前記調教師が設定した推薦価格が売買価格として決定した場合に、その売買価格に適用される保険料率を前記調教師ランク設定手段により設定した調教師のランクに応じて算出する保険料率設定手段と、
を備えたことを特徴とする競争馬仲介管理装置。
【請求項２】
インターネットを介しておこなう競争馬の売買を仲介する競争馬仲介管理方法であって、
競争馬仲介管理方法は、
予め複数の調教師を登録する調教師登録工程と、
前記調教師の実績に基づくランク付けをおこなう調教師ランク設定工程と、
生産者が売却したい競争馬を希望価格とともに登録する競争馬登録工程と、
前記競争馬登録方法により登録された競争馬を複数の調教師により査定するとともに、その競争馬の売買価格を推薦価格として設定する競争馬価格評価工程と、
前記調教師が設定した推薦価格が売買価格として決定した場合に、その売買価格に適用される保険料率を前記調教師ランク設定工程により設定した調教師のランクに応じて算出する保険料率設定工程と、
を含むことを特徴とする競争馬仲介管理方法。
【請求項３】
インターネットを介しておこなう競争馬の売買を仲介する競争馬仲介管理プログラムであって、
競争馬仲介管理プログラムは、
予め複数の調教師を登録する調教師登録手順と、
前記調教師の実績に基づくランク付けをおこなう調教師ランク設定手順と、
生産者が売却したい競争馬を希望価格とともに登録する競争馬登録手順と、
前記競争馬登録手順により登録された競争馬を複数の調教師により査定するとともに、その競争馬の売買価格を推薦価格として設定する競争馬価格評価手順と、
前記調教師が設定した推薦価格が売買価格として決定した場合に、その売買価格に適用される保険料率を前記調教師ランク設定手順により設定した調教師のランクに応じて算出する保険料率設定手順と、
をコンピュータに実行させることを特徴とする競争馬仲介管理プログラム。
【発明の詳細な説明】
【０００１】
【発明の属する技術分野】
本発明は、インターネットなどを介しておこなわれる競争馬仲介管理装置および競争馬仲介管理方法、競争馬仲介管理プログラムに関し、特に、競争馬に対する保険料率を実績のある調教師による推薦価格に基づいて設定（査定）することにより、保険会社、馬主、調教師の三者にとって有益となる競争馬仲介管理装置および競争馬仲介管理方法、競争馬仲介管理プログラムに関するものである。
【０００２】
【従来の技術】
従来から、競争馬に関する競争馬情報を提供する競争馬サイトが存在しており、このような競争馬に掛けられる保険としては、死亡保険（１年掛け捨て）、競走能力喪失担保特約保険、胎児出産危険担保特約保険などが存在する（例えば、非特許文献１参照）。
【０００３】
【非特許文献１】
インターネット＜ｈｔｔｐ：／／ｗｗｗ．ｌｅｘ−ｉｎｃ．ｃｏｍ／ｋｏｕｚａ／ｓｔｅｐ５．ｈｔｍｌ＞
【０００４】
【発明が解決しようとする課題】
ところが、前述した従来の場合には、以下のような問題がある、すなわち、従来では、サイト上での競争馬の売買は困難であることから、競争馬の売買をおこなう場合には、調教師を仲介者にしたいわゆる庭先取引でおこなうことが多い。また、競争馬の購入にあたっては購入金額が高額であることから、馬主は競争馬の購入金額が競走レースなどにより獲得することができる獲得賞金額を下回る場合に備えて保険などを適用したいが、従来では、損失に適用される保険システム自体が存在していなかった。
【０００５】
具体的に説明すると、競争馬がレースに出走し、競争馬の購入価格（売買金額）を超える賞金を獲得した場合には、売買は成功であるが、この一方、競走レースに出走することなく死亡したり、出走しても売買金額に見合う賞金を獲得することができなければ、買い手は、売買金額と獲得賞金額との差額分損失を被ることとなり、このようなキャピタルロスに対する保険がないという大きな問題があった。
【０００６】
この発明は、上述した従来技術による問題点を解決するためになされたもので、競争馬に対する保険料率を実績のある調教師による推薦価格に基づいて設定（査定）することにより、保険会社、馬主、調教師の三者にとって有益となる競争馬仲介管理装置および競争馬仲介管理方法、競争馬仲介管理プログラムを提供するものである。
【０００７】
【課題を解決するための手段】
上記目的を達成するために、請求項１記載の発明は、インターネットを介しておこなう競争馬の売買を仲介する競争馬仲介管理装置であって、競争馬仲介管理装置は、予め複数の調教師を登録する調教師登録手段と、前記調教師の実績に基づくランク付けをおこなう調教師ランク設定手段と、生産者が売却したい競争馬を希望価格とともに登録する競争馬登録手段と、前記競争馬登録手段により登録された競争馬を複数の調教師により査定するとともに、その競争馬の売買価格を推薦価格として設定する競争馬価格評価手段と、前記調教師が設定した推薦価格が売買価格として決定した場合に、その売買価格に適用される保険料率を前記調教師ランク設定手段により設定した調教師のランクに応じて算出する保険料率設定手段と、を備えたことを特徴とする。
【０００８】
この発明によれば、調教師登録手段により予め複数の調教師を登録し、調教師ランク設定手段により調教師の実績に基づくランク付けをおこない、競馬馬登録手段により生産者が売却したい競争馬を希望価格とともに登録し、競争馬価格評価手段により登録された競争馬を複数の調教師により査定するとともに、その競争馬の売買価格を推薦価格として設定し、保険料率設定手段により調教師が設定した推薦価格が売買価格として決定した場合に、その売買価格に適用される保険料率を調教師のランクに応じて算出するので、競争馬に対する保険料率を実績のある調教師による推薦価格に基づいて設定（査定）することができることから、保険会社、馬主、調教師の三者にとって有益とすることができる。
【０００９】
請求項２記載の発明は、インターネットを介しておこなう競争馬の売買を仲介する競争馬仲介管理方法であって、競争馬仲介管理方法は、予め複数の調教師を登録する調教師登録工程と、前記調教師の実績に基づくランク付けをおこなう調教師ランク設定工程と、生産者が売却したい競争馬を希望価格とともに登録する競争馬登録工程と、前記競争馬登録工程により登録された競争馬を複数の調教師により査定するとともに、その競争馬の売買価格を推薦価格として設定する競争馬価格評価工程と、前記調教師が設定した推薦価格が売買価格として決定した場合に、その売買価格に適用される保険料率を前記調教師ランク設定工程により設定した調教師のランクに応じて算出する保険料率設定工程と、を含むことを特徴とする。
【００１０】
この発明によれば、調教師登録工程により予め複数の調教師を登録し、調教師ランク設定工程により調教師の実績に基づくランク付けをおこない、競馬馬登録工程により生産者が売却したい競争馬を希望価格とともに登録し、競争馬価格評価工程により登録された競争馬を複数の調教師により査定するとともに、その競争馬の売買価格を推薦価格として設定し、保険料率設定工程により調教師が設定した推薦価格が売買価格として決定した場合に、その売買価格に適用される保険料率を調教師のランクに応じて算出するので、競争馬に対する保険料率を実績のある調教師による推薦価格に基づいて設定（査定）することができることから、保険会社、馬主、調教師の三者にとって有益とすることができる。
【００１１】
請求項３に記載の発明は、インターネットを介しておこなう競争馬の売買を仲介する競争馬仲介管理プログラムであって、競争馬仲介管理プログラムは、予め複数の調教師を登録する調教師登録手順と、前記調教師の実績に基づくランク付けをおこなう調教師ランク設定手順と、生産者が売却したい競争馬を希望価格とともに登録する競争馬登録手順と、前記競争馬登録手順により登録された競争馬を複数の調教師により査定するとともに、その競争馬の売買価格を推薦価格として設定する競争馬価格評価手順と、前記調教師が設定した推薦価格が売買価格として決定した場合に、その売買価格に適用される保険料率を前記調教師ランク設定手順により設定した調教師のランクに応じて算出する保険料率設定手順と、をコンピュータに実行させることを特徴とする。
【００１２】
この発明によれば、コンピュータの調教師登録手順により予め複数の調教師を登録し、調教師ランク設定手順により調教師の実績に基づくランク付けをおこない、競争馬登録手順により生産者が売却したい競争馬を希望価格とともに登録し、競争馬価格評価工程により登録された競争馬を複数の調教師により査定するとともに、その競争馬の売買価格を推薦価格として設定し、保険料率設定手順により調教師が設定した推薦価格が売買価格として決定した場合に、その売買価格に適用される保険料率を調教師のランクに応じて算出するので、競争馬に対する保険料率を実績のある調教師による推薦価格に基づいて設定（査定）することができることから、保険会社、馬主、調教師の三者にとって有益とすることができる。
【００１３】
【発明の実施の形態】
以下、添付図面を参照して、この発明に係る競争馬仲介管理装置および競争馬仲介管理方法、競争馬仲介管理プログラムを詳細に説明する。なお、本実施の形態では、インターネットを介して保険会社が競争馬に対する保険料による保険料率を設定する場合について説明することとする。また、本発明の競争馬仲介管理装置および競争馬仲介管理方法、競争馬仲介管理プログラムは、インターネット上に提供されるサービスを構築しており、例えば、保険会社が構築したホームページ上（Ｗｅｂ）のサイト内に格納する一つの機能（制御装置）として実現できるものとする。
【００１４】
（実施の形態１）
図１は、本発明にかかる一実施の形態の構成を示す全体機能ブロック図である。この図１には、複数の調教師が所有する調教師用の端末装置１００ａ、ｂ、ｃ〜、競争馬を生産する生産者用の端末装置１１０、競争馬の所有者となる馬主用の端末装置１２０および調教師登録部２００、競争馬登録部２１０、競争馬価格評価部２２０、購入選択部２３０、保険料率設定部２４０、調教師ランク設定部２５０とを有する競争馬仲介管理装置３００から構成された競争馬仲介管理システムが図示されている。
【００１５】
同図に示すように、この競争馬仲介管理システムは、調教師用の端末装置１００ａ、ｂ、ｃ〜、生産者用の端末装置１１０、馬主用の端末装置１２０と競争馬仲介管理装置３００とをインターネット４００を介して接続したものである。２６０は、競争馬の情報がファイル化されて格納される競争馬情報管理データベース、２７０は、調教師の情報がファイル化されて格納される調教師情報管理データベース、２８０は、レース結果の情報がファイル化して格納されるレース結果情報管理データベースである。
【００１６】
競争馬仲介管理装置３００は、生産者と馬主との間で競争馬に対する売買が発生したときに競争馬の売買における仲介を処理する機能を有している。この競争馬仲介管理装置３００には、インターネット４００を介して調教師用の端末装置１００ａ、ｂ、ｃ〜、生産者用の端末装置１１０、馬主用の端末装置１２０との間でデータを授受するための図示しないインターフェース部を有している。
【００１７】
調教師登録部２００は、複数の調教師を登録する機能を有している。この調教師登録部２００により登録された複数の調教師に関する情報は、調教師情報登録データベース２７０内にファイル化されて格納される。具体的には、調教師毎にＩＤパスワードに関連付けて、各調教師のもつ実績などの情報がファイル化されるものとなる。
【００１８】
競争馬登録部２１０は、生産者により自身が所有する競争馬を売るために登録する機能を有している。生産者による競争馬の登録は、競争馬登録画面４１０（図４）によりおこなう。
【００１９】
競争馬価格評価部２２０は、複数の調教師により登録された競争馬の売買価格を評価する機能を有している。購入選択部２３０は、馬主が指定した競争馬を選択して購入する機能を有している。
【００２０】
保険料設定部２４０は、調教師のランク（Ａ〜Ｅ）に応じて保険料の保険料率（４０％から０％）を設定する機能を有している。調教師ランク設定部２５０は、調教師情報管理データベース２７０から調教師の獲得賞金達成数と売買契約数とを取得し「獲得賞金達成件数／売買成立件数」の算出により調教師のランクを設定する機能を有している。例えば、図７の保険料率設定画面６００に示すように、調教師のランクがＡと認定されている場合には、保険料率は、割り引き率が４０％と設定される。
【００２１】
図２は、競争馬情報管理データベース２６０に格納されるファイル情報を示している。図２に示すように、競争馬情報管理データベース２６０には、競争馬の名前に基づいて、生年月日、血統、希望価格、調教師名、推薦価格、売買価格、調教師の名前、保険料率、獲得賞金額、フラグに関する情報がそれぞれファイル化され格納されている。
【００２２】
図３は、調教師情報管理データベース２７０に格納されるファイル情報を示している。図３に示すように、調教師情報管理データベース２７０には、調教師名に対応してＩＤ、パスワード、調教師の実績などから保険会社により設定されるランク、売買成立件数、獲得賞金額達成件数などの情報がそれぞれファイル化され格納されている。
【００２３】
レース結果情報管理データベース２８０には、中央競馬会、地方競馬会などで開催された競争馬のレース結果、調教師の獲得賞金金額などの情報がそれぞれファイル化され格納されている。
【００２４】
図４は、生産者自身が生産した競争馬を売却する目的で、サイトに登録するための競争馬登録画面４１０である。この競争馬登録画面４１０は、競争馬の名前を入力する競争馬名フィールド４２０、競争馬の生産者である生産者の名前を入力する生産者名フィールド４３０、希望価格を入力する希望価格フィールド４４０が設けられている。生産者は、各フィールドに対する入力をおこなうことにより競争馬を登録することができる。また、この競争馬登録画面４１０により登録された複数の競争馬の情報は、図５に示す売買競争馬一覧４６０に格納され閲覧することができる。
【００２５】
図５は、複数の生産者により登録された競争馬が一覧として表示される売買競争馬一覧４６０を示している。この売買競争馬一覧４６０には、競争馬登録画面４１０により入力された競争馬名、生産者名、希望価格を一覧により見ることができる。
【００２６】
図６は、売買競争馬設定画面５００の一覧である。同図に示すように、売買競争馬設定画面５００には、競争馬の名前が表示される競争馬名フィールド５１０、競争馬の生産者である生産者の名前が表示される生産者名フィールド５２０、生産者により入力された希望価格が表示される希望価格フィールド５３０、複数の調教師により競争馬に対する講評および推薦価格を入力する講評フィールド５４０および推薦価格フィールド５５０とが設けられている。また、５８０は調教師を設定した際に押下される決定ボタンである。
【００２７】
図７は、保険会社により設定された調教師のランクを表示するための保険料率設定画面６００を示している。この調教師ランク設定画面６００には、獲得賞金達成件数／売買成立件数の値、調教師のランク、保険料率が設定された設定画面となっている。例えば、ランクＡの調教師の場合、保険料率の割引き率は、４０％引きであることを示している。この一方、ランクＥの調教師の場合、保険料率の割引き率は、０％引き（割引きなし）であることを示している。
【００２８】
図８は、本発明の競争馬仲介管理方法の基本制御手順を説明するフローチャートである。すなわち、本発明の招集管理方法は、大別して（１）調教師登録工程（ステップＳ８０１）、（２）調教師ランク設定工程（ステップＳ８０２）、（３）競争馬登録工程（ステップＳ８０３）、（５）競争馬価格評価工程（ステップＳ８０４）、（５）購入選択工程（ステップＳ８０５）、（６）保険料率設定工程（ステップＳ８０６）の６つの処理工程により構成されている。先ず、これら（１）〜（６）の各制御工程について簡単に説明する。
【００２９】
（１）調教師登録工程は、複数の調教師を登録する処理工程である。この調教師登録工程により登録された複数の調教師に関する情報は、調教師情報登録データベース２７０内にファイル化されて格納される。具体的には、調教師毎にＩＤパスワードに関連付けて、各調教師のもつ実績などの情報がファイル化されるものとなる。
【００３０】
（２）調教師ランク設定工程は、調教師情報管理データベース２７０から調教師の獲得賞金達成件数と競争馬の売買成立件数とを取得し、「獲得賞金達成件数／売買成立件数」の算出により調教師のランクを設定する処理工程である。
【００３１】
（３）競争馬登録工程は、生産者により自身が所有する競争馬を売るために登録する処理機能である。この生産者による競争馬の登録処理は、競争馬登録画面４１０（図４）によりおこなう。
【００３２】
（４）競争馬価格評価工程は、競争馬の購入価格を複数の調教師が評価する処理工程である。この評価により、推薦価格が売買競争馬設定画面５００に推薦価格として入力される。
【００３３】
（５）購入選択工程は、馬主が売買競争馬設定画面５００に表示された競争馬の推薦価格を見て購入を選択する処理工程である。
【００３４】
（６）保険料率設定工程は、サイトを提供する保険会社により複数の調教師に対するランク付けをおこなう処理工程である。この調教師のランクは、保険料率設定画面６００に表示される。
【００３５】
以下、図９のフローチャートを参照して、本実施の形態における競争馬仲介管理方法による処理手順を説明する。この図９に示すフローチャートは、複数の調教師が所有する調教師用の端末装置１００ａ、ｂ、ｃ、競争馬を生産する生産者用の端末装置１１０、競争馬の所有者となる馬主用の端末装置１２０と競争馬仲介管理装置３００との間で実施される制御手順の概要を示している。
【００３６】
すなわち、図９に示すように、先ず、調教師による登録が有るか否かの判定により（ステップＳ１００）、登録依頼が有る場合には（ステップＳ１００肯定）、所定の登録手続きをおこない（ステップＳ１１０）、次いで、調教師に対するランクの設定がおこなわれる（ステップＳ１２０）。一方、競争馬仲介管理装置３００では、調教師の登録を処理する調教師登録工程（ステップＳ８０１）および調教師に対するランクの設定をおこなう調教師ランク設定工程（ステップＳ８０２）がおこなわれる。
【００３７】
ここで、ステップＳ８０１による調教師登録工程の詳細について、図１０のフローチャートを参照して説明する。すなわち、図１０に示すように、複数の調教師に対して、それぞれＩＤナンバー（ステップＳ１５０）、パスワードを設定し（ステップＳ１６０）、その情報を各調教師に対応付けて、調教師情報管理データベース２７０に格納する（ステップＳ１７０）。次いで、各調教師のランクを、一時的に最低ランクのＥランクと設定し（ステップＳ１８０）、売買成立件数および獲得賞金達成件数を「０」に設定する（ステップＳ１９０）。以上の処理は、調教師の登録処理時にその都度おこなう。
【００３８】
次いで、ステップＳ８０２による調教師ランク設定工程の詳細について、図１１のフローチャートを参照して説明する。すなわち、図１１に示すように、レース結果情報管理データベース２８０から該当した馬が新規に獲得した賞金額を取得し（ステップＳ２００）、競争馬情報管理データベース２６０の獲得賞金ファイルに賞金額を加算する（ステップＳ２１０）。次いで、獲得賞金と売買価格とを比較し、さらにフラグがＯＦＦであるか判定する（ステップＳ２２０）。この判定によりフラグがＯＦＦである場合には（ステップＳ２２０肯定）、調教師情報管理データベース２７０の獲得賞金達成数に「１」を加算し（ステップＳ２３０）、フラグをＯＦＦからＯＮに設定する（ステップＳ２３０）。
【００３９】
以下、「獲得賞金達成件数／売買成立件数」から算出される値に基づいて、調教師のランクを設定し、調教師情報管理データベース２７０にファイル化し格納する（ステップＳ２４０）。このステップＳ２４０によりランク付けされた調教師のランクは、保険料率設定画面６００に表示される（図７）。以上の調教師ランク設定工程は、競争馬情報管理データベース２６０にある競争馬の数および売買価格が設定されている競争馬に対しておこなうものとする。
【００４０】
以下、図９のフローチャートに戻り、生産者による競争馬の登録が有るか否かの判定により（ステップＳ３００）、競争馬の登録依頼が有る場合には（ステップＳ３００肯定）、所定の登録手続きをおこない（ステップＳ３１０）。競争馬仲介管理装置３００では、競争馬登録工程（ステップＳ８０３）がおこなわれる。
【００４１】
ここで、ステップＳ８０３による競争馬登録工程の詳細について、図１２のフローチャートを参照して説明する。すなわち、図１２に示すように、先ず、生産者が指定した競争馬の名前、生産者名、血統などを競争馬情報管理データベース２６０にファイルとして設定し（ステップＳ４００）、競争馬登録画面４１０を表示し、この競争馬登録画面４１０に売却価格である希望価格を設定する（ステップＳ４１０）。本例では、前述した図４に示すように生産者が○△△厩舎であり、競争馬の馬名が○△○、希望売り価格を５０００万円に設定したものとする。具体的に、この処理は、生産者が競争馬登録画面４１０に所定の情報を入力することによりおこなわれる。
【００４２】
以下、図９のフローチャートに戻り、生産者により競争馬の登録が修了すると調教師が売買競争馬一覧４６０（図５）を閲覧することにより、この調教師による競争馬評価工程が行われる（ステップＳ８０４）。
【００４３】
ここで、ステップＳ８０４による競争馬評価工程の詳細について、図１３のフローチャートおよび売買競争馬設定画面５００を参照して説明する。すなわち、図１３に示すように、先ず、ログインＩＤから調教師の名前を取得し（ステップＳ５２０）、調教師のランクを表示する（ステップＳ５３０）。以下、調教師による競争馬に対する推薦価格の入力がおこなわれ（ステップＳ５４０）、選択された競争馬に対する調教師の名前と推薦価格をファイルとして設定する（ステップＳ５５０）。具体的には、これら、調教師名および推薦価格は、競争馬情報管理データベース２６０に格納される。
【００４４】
図１４に示すように、本例では、５０００万円の希望価格に対して、調教師ＸＸＸは４０００万円の推薦価格を、調教師ＹＹＹは６０００万円の推薦価格を査定として入力したことを示している。ここで、本例では、調教師のランク表示をしているが、特に、ランクの表示はおこなわなくてもよい。
【００４５】
以下、図９のフローチャートに戻り、馬主による競争馬の購入意志が有るか否かの判定により（ステップＳ６００）、競争馬の購入意志が有る場合には（ステップＳ６００肯定）、所定の購入手続きをおこない（ステップＳ６１０）競争馬仲介管理装置３００では、購入選択工程（ステップＳ８０５）および保険料率設定工程（ステップＳ８０６）がおこなわれる。
【００４６】
ここで、ステップＳ８０５による購入選択工程およびステップＳ８０６による保険料率設定工程の詳細について、図１５のフローチャートおよび売買競争馬設定画面５００を参照して説明する。すなわち、図１５のフローチャートに示すように、先ず、馬主は、売買競争馬設定画面５００の表示をおこない（ステップＳ６１０）、馬名、生産者名、希望価格の確認をおこない（ステップＳ６２０）、次いで、各調教師の調教師ランクの確認をおこない（ステップＳ６３０）、各調教師の講評、推薦価格の確認をおこない（ステップＳ６４０）、以上のステップＳ６２０〜ステップＳ６４０に基づいて、調教師の選択をおこなう（ステップＳ６５０）。以下、決定ボタン５８０の押下をおこなう（ステップＳ６６０）。
【００４７】
本例では、図１４に示すように、５０００万円の希望価格に対して調教師ＸＸＸは、６０００万円の推薦価格を調教師ＹＹＹは、４０００万円の推薦価格を査定として入力しており、馬主は、調教師ランクがランクＣである調教師ＹＹＹを選択したことを示している。
【００４８】
図１６は、保険料率設定工程の処理手順を示している。すなわち、先ず、選択された調教師の推薦価格を競争馬情報管理データベース２６０にある売買価格に設定し（ステップＳ７１０）。次いで、選択された調教師の調教師情報管理データベース２７０にファイル化された売買成立件数をカウントアップ（１加算）し（ステップＳ７２０）、購入選択工程により選択された調教師のランクを取得する（ステップＳ７３０）。この取得は、調教師情報管理データベース２７０から抽出する。次いで、ステップＳ７３０により取得した調教師ランクに基づいて保険料率を設定し、競争馬情報管理データベース２６０に格納する（ステップＳ７４０）。具体的には、本例では、前述した売買競争馬設定画面５００に示すように、調教師ランクＣである調教師ＹＹＹを選択しているため、保険料率は、２０％引きの設定となる。
【００４９】
以上、本実施の形態１では、パソコンなどの端末装置を使用するものとしているが、パソコンなどではなく携帯電話などでも本発明を適用することができる。
【００５０】
上述してきたように、本実施の形態１では、保険会社にとっては、実績のある調教師による推薦価格に基づいて、保険料の割り引き率を設定できるので、競争馬の故障や死亡などにより保険料を支払う可能性が低くなると考えられるため、安心して保険料を設定することができる。また、競争馬を購入する馬主にとっては、調教師が設定する推薦価格は、実績および信頼性のある調教師による推薦価格であることから信頼して購入をおこなうことができる。また、調教師にとっては、売買が成立した後、例えば、推薦した競争馬がレースで賞金を獲得したときには、ある程度のペイバックを受け取ることができるというメリットを期待できる。以上のように、本実施の形態１においては、競争馬に対する保険料率を実績のある調教師による推薦価格に基づいて設定（査定）することにより、保険会社、馬主、調教師の三者にとって有益とすることができる。
【００５１】
ここで、本発明の特徴は、将来キャピタルロスが発生する可能性がある競争馬売買システムにおいてエキスパート（本例では、ランクＡの調教師）が推薦価格として設定したものについて、保険料の割り引き率を高く設定することにあるため、競争馬仲介システムに限定することなく、例えば、高額な賃貸物件（マンションなど）の売買、株の売買などによるキャピタルロス保険に関して適用することができる。また、具体的な構成例はこの一実施の形態に限られるものではなく、本発明の要旨を逸脱しない範囲の設計変更等があっても本発明に含まれる。
【００５２】
（実施の形態２）
以下、前述した実施の形態１に示した競争馬仲介管理装置および競争馬仲介方法と同様の機能を有する招集管理プログラムを実行するコンピュータシステムについて説明する。
【００５３】
図１７に示すコンピュータシステム１００は、本体部１０１、本体部１０１からの指示により表示画面１０２ａに画像等の情報を表示するディスプレイ１０２、このコンピュータシステム１００に種々の情報を入力するためのキーボード１０３、ディプレイ１０２の表示画面１０２ａ上の任意の位置を指定するマウス１０４、ローカルエリアネットワーク（ＬＡＮ）１０６または広域エリアネットワーク（ＷＡＮ）に接続するＬＡＮインターフェース、インターネットなどの公衆回線１０７に接続するモデム１０５が備えられている。ここで、ＬＡＮ１０６は、ほかのコンピュータシステム（ＰＣ）、サーバ１１２、プリンタ１１３等とコンピュータシステム１００とを接続している。
【００５４】
また、図１８に示すように、本体部１０１は、ＣＰＵ１２１、ＲＡＭ１２２、ＲＯＭ１２３、ハードディスクドライブ（ＨＤＤ）１２４、ＣＤ−ＲＯＭドライブ１２５、ＦＤドライブ１２６、Ｉ／Ｏインターフェース１２７およびＬＡＮインターフェース１２８を備えている。
【００５５】
このコンピュータシステム１００においてモデル構築プログラムを実行する場合、フロッピィディスク（ＦＤ）１０８、ＣＤ−ＲＯＭ１０９、ＤＶＤディスク、光磁気ディスク、ＩＣカード等の可搬型記憶媒体、モデム１０５およびＬＡＮインターフェースを利用し回線を介して接続されたサーバ１１２のデータベース、あるいは、ほかのコンピュータシステム（ＰＣ）のデータベースに格納等の記憶媒体に記憶されたモデル構築プログラムをコンピュータシステム１００にインストールする。インストールされた競争馬仲介管理プログラムは、ＨＤＤ１２４に記憶され、ＲＡＭ１２２、ＲＯＭ１２３などを利用してＣＰＵ１２１により実行される。
【００５６】
ここで、記憶媒体とは、ＣＤ−ＲＯＭドライブ１２５、ＦＤドライブ１２６、ＤＶＤディスク、光磁気ディスク、ＩＣカード等の可搬型記憶媒体やコンピュータシステム１００の内外に備えられたハードディスク１２４（ＨＤＤ）などの記憶装置のほか、ＬＡＮ１０６を介して接続されたインストール元の競争馬仲介管理プログラムを保持するサーバ１１２のデータベース、あるいは、ほかのコンピュータシステム並びにそのデータベースや、さらに公衆回線１０７上の伝送媒体をも含むものである。
【００５７】
（付記１）インターネットを介しておこなう競争馬の売買を仲介する競争馬仲介管理装置であって、
競争馬仲介管理装置は、
予め複数の調教師を登録する調教師登録手段と、
前記調教師の実績に基づくランク付けをおこなう調教師ランク設定手段と、
生産者が売却したい競争馬を希望価格とともに登録する競争馬登録手段と、
前記競争馬登録手段により登録された競争馬を複数の調教師により査定するとともに、その競争馬の売買価格を推薦価格として設定する競争馬価格評価手段と、
前記調教師が設定した推薦価格が売買価格として決定した場合に、その売買価格に適用される保険料率を前記調教師ランク設定手段により設定した調教師のランクに応じて算出する保険料率設定手段と、
を備えたことを特徴とする競争馬仲介管理装置。
【００５８】
（付記２）前記保険料率設定手段は、前記調教師ランク設定手段により設定した調教師のランクが高い場合は、割り引き率が高くなるように設定されていることを特徴とする付記１に記載の競争馬仲介管理装置。
【００５９】
（付記３）前記調教師ランク設定による調教師のランク付けは、過去のレース結果により取得された調教師の獲得賞金額に基づいておこなうことを特徴とする付記１または２に記載の競争馬仲介管理装置。
【００６０】
（付記４）競争馬の名前に基づいて、生年月日、血統、希望価格をファイルとして設定する競争馬情報管理データベースをさらに備えることを特徴とする付記１、２または３に記載の競争馬仲介管理装置。
【００６１】
（付記５）前記調教師名に対応してＩＤ、パスワード、調教師の実績などから保険会社により設定される調教師ランクをファイルとして設定する調教師情報管理データベースをさらに備えることを特徴とする付記１〜４のいずれか一つに記載の競争馬仲介管理装置。
【００６２】
（付記６）インターネットを介しておこなう競争馬の売買を仲介する競争馬仲介管理方法であって、
競争馬仲介管理方法は、
予め複数の調教師を登録する調教師登録工程と、
前記調教師の実績に基づくランク付けをおこなう調教師ランク設定工程と、
生産者が売却したい競争馬を希望価格とともに登録する競争馬登録工程と、
前記競争馬登録工程により登録された競争馬を複数の調教師により査定するとともに、その競争馬の売買価格を推薦価格として設定する競争馬価格評価工程と、
前記調教師が設定した推薦価格が売買価格として決定した場合に、その売買価格に適用される保険料率を前記調教師ランク設定工程により設定した調教師のランクに応じて算出する保険料率設定工程と、
を含むことを特徴とする競争馬仲介管理方法。
【００６３】
（付記７）インターネットを介しておこなう競争馬の売買を仲介する競争馬仲介管理プログラムであって、
競争馬仲介管理プログラムは、
予め複数の調教師を登録する調教師登録手順と、
前記調教師の実績に基づくランク付けをおこなう調教師ランク設定手順と、
生産者が売却したい競争馬を希望価格とともに登録する競争馬登録手順と、
前記競争馬登録手順により登録された競争馬を複数の調教師により査定するとともに、その競争馬の売買価格を推薦価格として設定する競争馬価格評価手順と、
前記調教師が設定した推薦価格が売買価格として決定した場合に、その売買価格に適用される保険料率を前記調教師ランク設定手順により設定した調教師のランクに応じて算出する保険料率設定手順と、
をコンピュータに実行させることを特徴とする競争馬仲介管理プログラム。
【００６４】
【発明の効果】
以上説明したように、本発明によれば、保険会社にとっては、実績のある調教師による推薦価格に基づいて、保険料の割り引き率を設定できるので、競争馬の故障や死亡などにより保険料を支払う可能性が低くなると考えられるため、安心して保険料を設定することができる。
【００６５】
また、競争馬を購入する馬主にとっては、調教師が設定する推薦価格は、実績および信頼性のある調教師による推薦価格であることから信頼して購入をおこなうことができるという効果を奏する。また、調教師にとっては、売買が成立した際（推薦した競争馬がレースで賞金を獲得したとき）には、ある程度のペイバックを受け取ることができるというメリットを期待できるという効果を奏する。
【図面の簡単な説明】
【図１】本発明の一実施の形態の構成を示す機能ブロック図である。
【図２】競争馬情報管理データベースのファイル内容を示す構成図である。
【図３】調教師情報管理データベースのファイル内容を示す構成図である。
【図４】競争馬登録画面を示す構成図である。
【図５】売買競争馬一覧を示す構成図である。
【図６】売買競争馬設画面を示す構成図である。
【図７】調教師ランクによる保険料率設定画面を示す構成図である。
【図８】一実施の形態による競争馬仲介管理方法の全体処理手順の概略を示すフローチャートである。
【図９】一実施の形態による競争馬仲介管理方法の全体処理手順を示すフローチャートである。
【図１０】調教師登録工程の処理手順を示すフローチャートである。
【図１１】調教師ランク登録処理工程の処理手順を示すフローチャートである。
【図１２】競争馬登録工程の処理手順を示すフローチャートである。
【図１３】競争馬価格評価工程の処理手順を示すフローチャートである。
【図１４】売買競争馬設画面を示す構成図である。
【図１５】購入選択処理工程の処理手順を示すフローチャートである。
【図１６】保険料率設定工程の処理手順を示すフローチャートである。
【図１７】一実施の形態の変形例であるコンピュータシステムを説明するための説明図である。
【図１８】図１７に示した本体部の構成を説明する説明図である。
【符号の説明】
１００ａ、ｂ、ｃ、１１０、１２０  端末装置
２００  調教師登録部
２１０  競争馬登録部
２２０  競争馬価格評価部
２３０  購入選択部
２４０  保険料率設定部
２５０  調教師ランク設定部
２６０  競争馬情報管理データベース
２７０  調教師情報管理データベース
２８０  レース結果情報管理データベース
３００  競争馬仲介管理装置
４００  インターネット
５００  売買競争馬設定画面
５１０  競争馬名フィールド
５２０  生産者名フィールド
５３０  希望価格フィールド
５４０  講評フィールド
５５０  推薦価格フィールド
５８０  決定ボタン
６００  保険料率設定画面
【図１】
2004295434.tif 000003
【図２】
2004295434.tif 000004
【図３】
2004295434.tif 000005
【図４】
2004295434.tif 000006
【図５】
2004295434.tif 000007
【図６】
2004295434.tif 000008
【図７】
2004295434.tif 000009
【図８】
2004295434.tif 000010
【図９】
2004295434.tif 000011
【図１０】
2004295434.tif 000012
【図１１】
2004295434.tif 000013
【図１２】
2004295434.tif 000014
【図１３】
2004295434.tif 000015
【図１４】
2004295434.tif 000016
【図１５】
2004295434.tif 000017
【図１６】
2004295434.tif 000018
【図１７】
2004295434.tif 000019
【図１８】
2004295434.tif 000020